(57)【要約】【課題】  作業上、手間を要することなく、機台毎の特性のばらつきを吸収して作成し得るγ補正値の作成方法を提供する。【解決手段】  多段階ｎの白黒濃度を持つチャート２０を用意するとともに、このチャート２０を読み取ったときに、各段階ｉに対応して得たい目標読み取り値Ｎｉｋを機種一律に記憶しておき、機台個別にチャート２０の各階調の実読み取り値Ｎｉｍを得る（ＳＴ２）。次に、階調ｉに対する前記目標値Ｎｉｋを読み出し（ＳＴ３）、Ｎｉｋ＋（Ｎｉｋ−Ｎｉｍ）＊Ｒｍ／Ｒｋ＝γｉを算出し、補正値γｉを求め、記憶する（ＳＴ４）。この処理をｉ＝１〜ｎ回について実行し、各γｉ補正値を求める。求めた各段階のγｉ補正値を用いて、各段階間を細区分し、線形補間し、例えば６４区分のγ補正値を得る（ＳＴ７）。この計算したγ補正値をγ補正テーブル１０ａに格納する（ＳＴ８）。【選択図】      図７
2006114956.tif 000002
【特許請求の範囲】
【請求項１】
多段階の白黒濃度を持つチャートを用意するとともに、前記チャートを読み取ったときに各段階に対応して得たい目標読み取り値を予め記憶しておき、
前記チャートを読み取り、得た実読み取り値と前記目標読み取り値との差を求め、各段階の目標読み取り値と、前記差と、実読み取り値とγ補正値のレンジ比とに基づいて、各段階に対応するγ補正値を算出し、かつ各段階間の濃度について線形補間を行い、所定スケールのγ補正値を作成することを特徴とするγ補正値の作成方法。
【請求項２】
前記各段階のγ補正値の算出は、各段階の目標読み取り値に前記差値を加算し、その加算結果に前記実読み取り値とγ補正値のレンジ比を乗算するものであることを特徴とする請求項１記載のγ補正値の作成方法。
【発明の詳細な説明】
【技術分野】
【０００１】
この発明は、ファクシミリ装置、複写機、ファクシミリ機能・複写機能等の多機能を有する画像形成装置で使用されるγ補正値の作成方法に関する。
【背景技術】
【０００２】
ファクシミリ装置などの画像形成装置では、スキャナなどの画像読取手段の特性がリニアでないと、色、濃度を精度良く再現できないので、再現精度を上げるために、γ（ガンマ）補正を行うようにしている。
【０００３】
従来、γ補正は、段階的に異なるテストチャートを読み込み、実際にそのテストチャートを読み取った値と、本来の値との差を求めてγ（ガンマ）補正テーブルを作成し、予めＲＯＭに記憶しておき、画像読み取り時に、このγ補正テーブルを用いて補正を行うようにしている（例えば、特許文献１参照）。
【特許文献１】特開平６−２２１４０号公報
【発明の開示】
【発明が解決しようとする課題】
【０００４】
上記した従来のγ補正値の作成方法は、テストチャートを読み取り、画像出力したときの出力画像が最適となったときのテストチャート実読み取り値と各階調の本来値との差を求めてγ補正テーブルとして機種毎に一律に登録するものであり、個々の機台の読み取り部分の特性のばらつきを吸収することができなかった。
【０００５】
しかし、機台毎の読み取り部分の特性のばらつきを吸収するために機台毎に個別に、従来のγ補正テーブル作成方法で作成するとなると、作業上、非常な手間を要するという問題があった。
【０００６】
この発明は上記問題点に着目してなされたものであって、作業上、手間を要することなく、機台毎の特性のばらつきを吸収して作成し得るγ補正値の作成方法を提供することを目的としている。
【課題を解決するための手段】
【０００７】
この発明のγ補正値の作成方法は、多段階の白黒濃度を持つチャートを用意するとともに、前記チャートを読み取ったときに各段階に対応して得たい目標読み取り値を予め記憶しておき、前記チャートを読み取り、得た実読み取り値と前記目標読み取り値との差を求め、各段階の目標読み取り値と、前記差と、実読み取り値とγ補正値のレンジ比とに基づいて、各段階に対応するγ補正値を算出し、かつ各段階間の濃度について線形補間を行い、所定スケールのγ補正値を作成することを特徴とする。
【０００８】
この発明において、前記各段階のγ補正値の算出は、各段階の目標読み取り値に前記差値を加算し、その加算結果に前記実読み取り値とγ補正値のレンジ比を乗算すると良い。
【発明の効果】
【０００９】
この発明によれば、数段階の白黒濃度を持つチャートを用意するとともに、チャートを読み取ったときに各段階に対応して得たい読み取り値を予め記憶しておくが、これは機種毎に一律に行うことができ、それは作業上、手間を要しない。  また、個別の機台毎にチャートを読み取り、得た実読み取り値と登録読み取り値との差を求め、各段階の目標読み取り値と、前記差と、実読み取り値とγ補正値のレンジ比とに基づいて、各段階に対応するγ補正値を算出することができ、かつ各段階間の濃度について、線形補間を行うので、機台間の特性のばらつきを吸収して、γ補正値を作成することができる。
【００１０】
また、γ補正値の作成に読み取り値とγ補正のスケールのレンジ比を反映しているので、小さな読み取りレンジで高レンジのγ補正値を作成することができる。
【発明を実施するための最良の形態】
【００１１】
以下、実施の形態により、この発明をさらに詳細に説明する。図１はこの発明の画像形成装置の一実施形態であるファクシミリ装置の構成を示すブロック図である。
【００１２】
この実施形態ファクシミリ装置は、図１に示すように、ＮＣＵ１と、ＭＯＤＥＭ２と、ＲＯＭ３と、ＲＡＭ４と、画像メモリ５と、ＭＰＵ６と、表示部７と、操作部８と、ＣＣＤスキャナ９と、画像処理回路１０と、ＥＥＰＲＯＭ１１と、ＣＯＤＥＣ１２と、プリンタ１３と、バス１４とを備えている。
【００１３】
ＮＣＵ１は、電話回線１５との接続を制御するとともに、相手先の電話番号（＝対応したダイヤル信号）の送出機能、及び着信を検出するための機能を備えている。ＭＯＤＥＭ２は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。ＲＯＭ３は装置全体を制御するためのプログラムを記憶する。
【００１４】
ＲＡＭ４は、ファクシミリ装置に関する各種情報を一時的に記憶する。ＲＡＭ４に機台毎のγ補正値を算出する演算式及び演算結果を記憶するγ補正演算メモリ４ａを有する。画像メモリ５は受信画像データやＣＣＤスキャナ７で読み取られた画像データを一時的に記憶する。ＭＰＵ６は、ＲＯＭ３に記憶されたプログラムに従い、装置を構成する各部を制御する。表示部７は、装置からオペレータへの伝達情報等を表示する。操作部８は、テンキー、ＦＡＸキー、ＣＯＰＹキー、スタートキー、ワンタッチキー等の操作スイッチを有する。ＣＣＤスキャナ９は原稿をスキャンして、原稿画像を読み取る。
【００１５】
画像処理回路１０はＣＣＤスキャナ９で読み取った画像データを画像処理する。具体的には、シェーディング補正、γ補正、２値化等の処理を行う。この画像処理回路１０は、ガンマ補正テーブルを記憶するガンマ補正テーブルメモリ１０ａを有する。ＥＥＰＲＯＭ１１は、テストチャートを読み取り、プリンタ１３より画像出力したときに出力する目標の３点のデータを記憶している。ＣＯＤＥＣ１２は、送信すべき画データを符号化し、また受信した画像データを復号する。プリンタ１３は、電子写真式のプリンタよりなり、受信画像データやコピー動作において、ＣＣＤスキャナ９で読み取られた原稿の画像データを記録紙上に記録する。もちろん、原稿としてテストチャートも含まれる。もっとも、ここに示す実施形態ファクシミリ装置のハード構成は、特に新規なものではなく、各回路構成自体は、既によく知られたものである。この実施形態ファクシミリ装置の新規な特徴事項は、後述するように、ガンマ補正テーブルデータの作成方法にある。  この実施形態装置において、γ補正値データの作成方法について説明する。この実施形態装置では、図２に示すチャート２０を使用する。このチャートは、３段階の白黒濃度の異なる部分Ｎ１、Ｎ２、Ｎ３を有する。この実施形態装置では、ＣＣＤスキャナ９でチャート２０を読み取った時、得たい読み取り値（目標読み取り値）Ｎ１ｋ、Ｎ２ｋ、Ｎ３ｋを予めＥＥＰＲＯＭ１１に記憶している。このＮ１ｋ、Ｎ２ｋ、Ｎ３ｋは機種別に一律に登録記憶されている。具体例として、読み取り値のレンジが８ビットであるとして、図３に示すように、Ｎ１ｋ＝５０、Ｎ２ｋ＝１００、Ｎ３ｋ＝２００を登録記憶している。
【００１６】
次に、機台固有のγ補正値データを作成するために、当該機台において、チャート２０をＣＣＤスキャナ９で読み取る。この実読み取り値をＮ１ｍ、Ｎ２ｍ、Ｎ３ｍとする。上記Ｎ１ｋ、Ｎ２ｋ、Ｎ３ｋは機種別に一律であるが、この実読み取り値Ｎ１ｍ、Ｎ２ｍ、Ｎ３ｍは、機台毎のＣＣＤスキャナ９の特性に応じて異なるものとなる。具体例として、当該機台の実読み取り値を図４に示す。図４では、Ｎ１ｍ＝７０、Ｎ２ｍ＝１２０、Ｎ３ｍ＝２８０である。これはチャート２０を読み取って画像出力した場合にＮ１を５０、Ｎ２を１００、Ｎ３を２００で出力したいところ、当該機台でそのまま補正しないで出力すると、Ｎ１が７０、Ｎ２が１２０、Ｎ３が１８０で画像出力される場合を示している。
【００１７】
ここで、当該機台において、γ補正値を算出する。先ず、チャート２０の３段階Ｎ１、Ｎ２、Ｎ３に対応するγ補正値を算出する。γ補正演算メモリ４ａにγ補正値算出式として
〔Ｎｉｋ＋（Ｎｉｋ−Ｎｉｍ）＊Ｒｍ／Ｒｋ＝γｉ…（１）
Ｎｉｋ：段階ｉの目標読み取り値、
Ｎｉｍ：段階ｉの実読み取り値、
Ｒｋ：チャートの読み取りレンジ、
Ｒｍ：γ補正値のスケールレンジ、
を記憶している。
【００１８】
画像処理回路１０では、γ補正演算メモリ４ａから上記演算式を読み出し、ＥＥＰＲＯＭ１１に記憶するＮｉｋと、内部記憶するＮｉｍ、Ｒｋ、Ｒｍを用いて、γ補正値γｉを算出する。
【００１９】
今、読み取り値のレンジを８ビットとし、γ補正のスケールを８ビットであったとして、図４に示す実読み取り値の当該機台のγ補正値は、
γ１＝〔５０＋（５０−７０）〕＊８／８＝３０、
γ２＝〔１００＋（１００−１２０）〕＊８／８＝８０
γ３＝〔２００＋（２００−１８０）〕＊８／８＝２２０
となる〔図５参照〕。
【００２０】
ここで、γ補正のスケールを１０ビットとすると、当該機台のγ補正値（γ１１、γ１２、γ１３）は、
γ１１＝〔５０＋（５０−７０）〕＊１０／８＝３７．５
γ１２＝〔１００＋（１００−１２０）〕＊１０／８＝１００
γ１３＝〔２００＋（２００−１８０）〕＊１０／８＝２７５
となる〔図６参照〕。
【００２１】
これら３点のγ補正値が得られると、更に、これらを用いて、これらの間の濃度について線形補間を行う。得られた各γ補正値を画像処理回路１０のγ補正テーブル１０ａに記憶する。
【００２２】
次に、この実施形態装置において、γ補正値データを作成する場合の全体処理を図７に示すフロー図を参照して説明する。このγ補正データ作成の処理ルーチンに入ると、先ず、ステップＳＴ１において、変数ｉを１とする。この変数ｉは図２に示すチャートの各段階をカウントする変数である。次に、ステップＳＴ２に移行する。ステップＳＴ２においては、チャート２０の各階調をＣＣＤスキャナ９にて読み取る。チャート２０の各階調の読み取りデータＮｉｍは画像処理回路１０のメモリに記憶される。続いて、ステップＳＴ３へ移行する。
【００２３】
ステップＳＴ３においては、階調ｉ（＝１）に対応する目標値Ｎ１ｋをＥＥＰＲＯＭ１１より読み出す。次に、ステップＳＴ４へ移行する。ステップＳＴ４においては、ＲＡＭ４のγ補正値演算メモリ４ａに記憶する演算式〔上記（１）式〕を用いて、補正値γ１を算出する。そして、ステップＳＴ５へ移行する。
【００２４】
ステップＳＴ５においては、ｉ＝ｎ（＝３）か否か判定する。変数ｉが３に達していない場合は、ステップＳＴ６へ移行する。一方、変数ｉが３に達した場合は、ステップＳＴ７へ移行する。階調ｉ＝１の処理処理段階では、ステップＳＴ６へ移行し、ステップＳＴ６において、変数ｉを１インクリメントし（ｉ＝２とする）、ステップＳＴ２へ戻る。
【００２５】
ステップＳＴ２からステップＳＴ５までの処理を再実行し、階調ｉ＝２の補正値γ２を算出する。ステップＳＴ５において、ｉ＝３となっていると、すなわち、階調ｉ＝３（チャート２０の段階Ｎ３に対応するγ補正値γ３を算出完了）となると、ステップＳＴ７へ移行する。ステップＳＴ７においては、全階調を６４区分とし、既に算出した３段階のγ補正値を用いて、各区分のγ補正値を線形補間し、求める。次に、ステップＳＴ８に移行し、作成したγ補正値をγ補正テーブル１０ａに格納する。
【００２６】
なお、上記実施形態において、チャート２０の白黒濃度を便宜上、３段階とした例を示したが、ｎ＝４、５、６、……等の数段階としても良い。
【図面の簡単な説明】
【００２７】
【図１】この発明の一実施形態であるファクシミリ装置の構成を示すブロック図である。
【図２】同実施形態ファクシミリ装置のγ補正値データの作成に使用するチャートの一例を示す図である。
【図３】同チャートを読み取った場合に、目標読み取り値とする一例を示す図である。
【図４】ある機台でチャートを読み取った場合の実読み取り値の一例を示す図である。
【図５】図３に示す目標読み取り値と、図４に示す実読み取り値を用い、読み取りレンジとγ補正のスケールレンジを同一とした場合のγ補正値の算出結果例を示す図である。
【図６】図３に示す目標読み取り値と、図５に示す実読み取り値を用い、読み取りレンジとγ補正のスケールレンジを異なるものとした場合のγ補正値の算出結果例を示す図である。
【図７】上記実施形態ファクシミリ装置におけるγ補正値データの作成処理を説明するためのフロー図である。
【符号の説明】
【００２８】
１        ＮＣＵ
２        ＭＯＤＥＭ
３        ＲＯＭ
４        ＲＡＭ
４ａ      γ補正演算メモリ
５        画像メモリ
６        ＭＰＵ
７        表示部
８        操作部
９        ＣＣＤスキャナ
１０      画像処理回路
１０ａ    γ補正テーブルメモリ
１１      ＥＥＰＲＯＭ
１２      ＣＯＤＥＣ
１３      プリンタ
１４      バス
【図１】
2006114956.tif 000003
【図２】
2006114956.tif 000004
【図３】
2006114956.tif 000005
【図４】
2006114956.tif 000006
【図５】
2006114956.tif 000007
【図６】
2006114956.tif 000008
【図７】
2006114956.tif 000009